(57)【要約】【課題】商品の特長点を見本上で直接容易に対応確認可能とした衣類の商品展示用見本を提供すること。【解決手段】衣類商品の特長を、前記商品と形態および構成が同一の見本における当該商品の特長部位又はその付近に、直接表示してある。【選択図】図１
2005025095.tif 000002
【特許請求の範囲】
【請求項１】
衣類商品の特長を、前記商品と形態および構成が同一の見本における当該商品の特長部位又はその付近に、直接表示してあることを特徴とする衣類の商品展示用見本。
【請求項２】
前記特長は、前記見本の生地に直接印刷して表示してあることを特徴とする請求項１に記載の衣類の商品展示用見本。
【請求項３】
前記特長は、見本とは別のシート状物に印刷等で標記しておき、これを見本の生地に着脱可能又は固定的に取付表示してあることを特徴とする請求項１に記載の衣類の商品展示用見本。
【請求項４】
前記商品の特長が複数ある場合、各特長ごとに見本の該当する部位又はその付近に前記特長が表示してあることを特徴とする請求項１〜３のいずれかに記載の衣類の商品展示用見本。
【請求項５】
前記特長は、少なくとも当該特長を説明する文字やイラストを含み、当該特長部位を指示する矢印等の指示記号と共に表示することを特徴とする請求項１〜４のいずれかに記載の衣類の商品展示用見本。
【発明の詳細な説明】
【技術分野】
【０００１】
本発明は、衣類の商品展示用見本に関するものである。
【背景技術】
【０００２】
一般に、衣類の販売に際し、店頭では、商品の形、素材感を確かめるためにディスプレイ用サンプルが置かれることが多い。特に、ベビー衣料は、含有ホルマリン濃度規制が厳しく、外部からの環境ホルマリンによる汚染防止の関係で袋詰が原則のため、サンプル展示が重要となる。
【０００３】
従来の衣類の商品展示用見本は、当該商品と同じものを見本として売り場に展示しているのが普通であった。その場合、商品の仕様説明等の当該商品の特長は、もっぱら、当該商品に関するPOP等のチラシに掲載して見本の展示場所付近に設置したり、適宜のボード等に貼り出したり、または、ビデオ設備を設置して商品説明や宣伝放送をしているのが現状であった（例えば、特許文献１及び特許文献２参照）。
【特許文献１】特開２０００−２９８４４５号公報
【特許文献２】特開平１０−０７１０６２号公報
【発明の開示】
【発明が解決しようとする課題】
【０００４】
しかしながら、従来の衣類の商品展示用見本であると、消費者は、見本と特長点を記載したPOP等のチラシとが別体で分離設置されていたため、両者を別々に見比べながら判断しなければならず、当該商品の仕様説明等の特長点が複数個所に及ぶ場合では、当該特長点と見本の該当部位との対応確認が困難であったり、誤解や見過ごしの余地が有り、せっかく見本が展示されていても、素材感が確かめられる程度となり、見本の特長に関する情報の伝達乃至理解が不確実となる等の問題点があった。
【０００５】
そこで、本発明は、上記問題点に鑑み、商品の特長点を見本上で直接容易に対応確認可能とした衣類の商品展示用見本を提供することを課題としている。
【課題を解決するための手段】
【０００６】
本発明は、衣類商品の特長を、前記商品と形態および構成が同一の見本における当該商品の特長部位又はその付近に、直接表示するようにしたものである。
【０００７】
前記特長は、前記見本の生地に直接印刷して表示し、又は、見本とは別のシート状物に印刷等で標記しておき、これを見本の生地に着脱可能又は固定的に取付表示するものである。
【０００８】
また、前記商品の特長が複数ある場合、各特長ごとに見本の該当する部位又はその付近に前記特長を表示するものである。
【０００９】
また、前記特長は、少なくとも当該特長を説明する文字やイラストを含み、当該特長部位を指示する矢印等の指示記号と共に表示するものである。
【発明の効果】
【００１０】
本発明によれば、消費者が見本品に直接に触れて素材の感触や仕上げ状態、縫製具合等の確認を行いながら、同時的に見本品上で各特長部位と説明文とを直接対応付けて、当該衣類商品の全ての特長点を容易かつ的確に理解乃至確認することができ、見過ごしや誤認を防止することができる。従って、消費者は、店員等に尋ねなくとも当該衣類商品の全ての特長を自分で直接確認乃至理解した上で購入することができる。また、本発明に係る見本を売り場や店頭等に展示しておくことにより、顧客に対する当該衣類商品の情報伝達乃至特長の理解が迅速・的確に行われ、顧客の信頼性向上が図れると共に、当該衣類商品の販売促進が図れる。さらに、当該衣類商品の特長を、見本とは別のシート状物に印刷等で標記しておき、これを見本の生地に着脱可能又は固定的に取付表示しておくことによって、衣類商品の任意の１つを任意の時点で事後的に見本に仕立てることができ、見本の製作及び交換が容易となる。
【発明を実施するための最良の形態】
【００１１】
本発明の衣類の商品展示用見本は、該当する衣類商品と形態及び構成が同一のものを見本とし、この見本の生地に当該衣類商品の特長を直接印刷したり、又は、見本とは別のシート状物に印刷等で標記しておき、これを見本の生地に着脱可能又は固定的に取付表示するものである。
【００１２】
この場合、当該衣類商品と形態及び構成が同一の見本が、当該衣類商品の特長を直接印刷することが可能な場合には、それらの特長を見本の該当部位にそれぞれ直接印刷する。見本に直接印刷する場合は、見本の生地に対して定着性がよいインクと印刷方法が採用され、インクの色も生地の色彩とは異なるもの、例えば、反対系色が採用される。しかし、衣類商品によっては、直接印刷することが困難であるか又は難しい場合等もあり、この場合には、当該特長を見本とは別のシート状物に印刷等で標記しておき、これを見本の生地の該当部位に着脱可能又は固定的に取付表示する。見本とは別のシート状物に特長を印刷する場合には、見本に直接印刷する場合のような制約はないが、シート状物の素材に対する印刷適性等については一般印刷の場合と同様な考慮が必要であり、また、シート状物の地色と見本の地色については同系色を避けるなどの考慮が必要である。
【００１３】
前記シート状物は、紙片、布片、各種フィルム片等により、適宜の輪郭形状、例えば、角形、円形、菱形、雲形、その他の輪郭形状のラベル状や粘着シール状等として製作しておき、これを見本の生地に粘着シール状とした場合には貼り付けて取付表示し、それ以外では、クリップ止め、安全ピン止め、縫い糸による縫着や綴り止め等の適宜の取付手段により着脱可能又は固定的に取付表示する。なお、粘着シールの場合でも、見本への貼り付け力が不足する場合には、クリップ止めや縫い糸止め等を併用してもよい。
【００１４】
本発明において、見本の特長部位が、当該衣類商品の外表面にある場合には、前記特長の表示を当該衣類商品の特長該当部位又はその付近の外表面に表示する。例えば、特長が、前身頃側であれば、前身頃の外表面に表示し、後身頃側であれば、後身頃の外表面に表示する。また、当該特長が内表面であれば、その内表面に対応する位置の外表面に表示するか、又は、その内表面が外部から容易に確認乃至観察可能（例えば、前身頃が釦やファスナーで開閉可能である場合等）であればその内表面に表示する。また、その特長が内部にある場合は、上記内表面の場合と同様な表示形態とする。
【００１５】
上記特長の表示位置は、見本の特長該当位置又はその付近とする。また、前記特長が複数ある場合、各特長ごとに見本の該当する部位又はその付近に前記特長を表示する。
【００１６】
また、前記特長は、少なくとも当該特長を説明する文字やイラストを含み、当該特長部位を指示する矢印等の指示記号と共に表示する。この特長部位の指示は、動物等の適宜のキャラクターを表示し、このキャラクターが特長位置を指示しつつ説明しているようなイラスト漫画で表示してもよい。
【００１７】
本発明における衣類商品の特長とは、素材、裁断、縫製、仕上げ、後処理、取扱い、その他、当該衣類商品として特有の工夫や配慮に関する事項を意味するものである。
【実施例１】
【００１８】
図１は、本発明をベビードレスに適用した場合の実施形態例を示す概略正面図であって、符号１は、ベビードレスの商品見本を示している。この見本１は、前合わせ形式であって、上側（外側）となる前身頃２の合わせ目端縁３は、下部では下側（内側）となる前身頃の略中央部で重なるようにし、上部では重なりが深くなるように大きく側方に湾曲させている。このベビードレスの特長点は、（１）〜（６）まであり、その内容は、下記の通りである。
【００１９】
（１）ぴったりサイズ
部位：裾部分。
特長：従来の50〜70サイズを成長段階に合わせて50〜60サイズで統一。
表示例：長すぎない丈で抱きやすく動きやすい
（２）簡単チェック
部位：胸から腹にかけての部分。
特長：おむつチェックやおむつ替えを容易にするため、新生児用衣料の９〜１０個あ          る釦のうち、上から３個目〜５個目の釦をなくした。
表示例：釦が少なくおむつ替えが簡単
（３）かけ違い防止釦
部位：股から裾部分。
特長：カバーオールとして着用する際、胴体と脚部分の釦をかけ違うことで混乱する          という不満を色区分で解消した。
表示例：釦の色を変えてかけ違いを防止します
（４）袖口ゴムの折り返し仕様
部位：袖口部分。
特長：ゴムをなくして折り返しやすくした。
表示例：袖口が折りやすく、丈調節が簡単
（５）裾ふんわり
部位：裾部分。
特長：裾のゴムをなくすことで、活発な足の動きを妨げない。
表示例：ゴムをなくして赤ちゃんが動きやすくしました
（６）襟元仕様
部位：襟元部位。
特長：釦の位置を首から離すことによって首の短い寝たままの赤ちゃんでも止めやす          い位置にした。
表示例：どんな状態でも止めやすい位置
【００２０】
上記の各特長（１）〜（６）を、図１の見本１のそれぞれの特長該当部位又はその付近に直接印刷して表示している。この表示は、動物等の適宜のキャラクター４を表示し、このキャラクター４が特長位置を指示しつつ説明しているようなイラスト漫画で表示したものである。上記特長の説明文字５は、枠線６で囲んで表示しているが、文字５のスタイルや枠線６の形状等は図示例に限らず、適宜変更可能である。
【００２１】
図２は、本発明の見本を展示すべきベビー服売り場７の一例を示す概略斜視図であって、本発明の見本（図示省略）は、同図の左端のハンガー８に掛けて展示しておくものである。
【実施例２】
【００２２】
本発明はまた、上記の表示例に示した特長の説明文字を見本とは別のシート状物（図示省略）に印刷等で標記し、これを見本の該当位置にとりつけて実施してもよい。
【産業上の利用可能性】
【００２３】
本発明は、ベビードレスに限らず、アンダーウエア、Ｔシャツ、パンツ、ズボン、カッターシャツ、セーター、スポーツウエア、中衣類、外衣類、帽子、マフラー、ショール、、手袋、靴下、布製身回品等に適用可能である。
【図面の簡単な説明】
【００２４】
【図１】本発明に係る衣類の商品展示用見本の実施形態例を示す概略正面図である。
【図２】図１の見本を展示すべき売り場の概略斜視図である。
【符号の説明】
【００２５】
１  見本
２  前身頃
３  合わせ目端縁
４  キャラクター
５  文字
６  枠線
７  売り場
８  ハンガー
【図１】
2005025095.tif 000003
【図２】
2005025095.tif 000004